(57)【要約】      （修正有）【課題】デザイン性が良く、レバーの簡単な操作だけで、飲料原液のみ、希釈水のみ又はこれらの混合飲料を選択して注ぎ出すことができる飲料注出バルブ及びこの飲料注出バルブを有する飲料ディスペンサを提供する。【解決手段】飲料ディスペンサ１に設けられる飲料注出バルブ１００は、バルブ本体１０と、バルブ本体１０に希釈水を供給する希釈水流路と、飲料原液を供給する飲料原液流路と、希釈水流路に設けられる希釈水供給弁と、飲料原液流路に設けられる飲料原液供給弁と、バルブ本体１０の上部に設けられる操作レバー１２とを備え、操作レバー１２は位置を移動可能であるとともに、位置に応じて、希釈水供給弁及び飲料原液供給弁のいずれか一方又は両方を開閉可能である。【選択図】図１
2018020804.tif 000002
【特許請求の範囲】
【請求項１】
バルブ本体と、
前記バルブ本体に接続され、前記バルブ本体に希釈水を供給する希釈水流路と、
前記バルブ本体に接続され、前記バルブ本体に飲料原液を供給する飲料原液流路と、
前記希釈水流路に設けられる希釈水供給弁と、
前記飲料原液流路に設けられる飲料原液供給弁と、
前記バルブ本体の上部に設けられる操作レバーとを備え、
前記操作レバーは、前記バルブ本体に対して位置を移動可能であるとともに、前記位置に応じて、前記希釈水供給弁及び前記飲料原液供給弁のいずれか一方又は両方を選択的に所定の押圧方向に押圧することにより開閉可能である飲料注出バルブ。
【請求項２】
前記操作レバーは、前記バルブ本体にスライド可能に取り付けられるスライド取付部を有するとともに、前記スライド取付部を介して前記バルブ本体に対して前記位置を移動可能であり、
前記スライド取付部が、前記操作レバーの前記位置に応じて、前記希釈水供給弁及び前記飲料原液供給弁のいずれか一方又は両方を選択的に前記押圧方向に押圧することにより、前記希釈水供給弁及び前記飲料原液供給弁のいずれか一方又は両方は開閉可能である請求項１に記載の飲料注出バルブ。
【請求項３】
前記バルブ本体と前記スライド取付部との間には弾性体が設けられる請求項２に記載の飲料注出バルブ。
【請求項４】
前記操作レバーは、第一の位置において前記希釈水供給弁のみを開放し、第二の位置において前記飲料原液供給弁のみを開放し、前記第一の位置と前記第二の位置との間の中立位置において前記希釈水供給弁及び前記飲料原液供給弁の両方を開放し、
前記弾性体は、前記操作レバーを前記中立位置に案内する請求項３に記載の飲料注出バルブ。
【請求項５】
前記バルブ本体には、前記操作レバーの前記位置の移動を案内する案内孔が形成される請求項１〜４のいずれか一項に記載の飲料注出バルブ。
【請求項６】
前記バルブ本体には、前記案内孔が形成されるガイド部が着脱可能に設けられる請求項５に記載の飲料注出バルブ。
【請求項７】
前記操作レバーは、前記希釈水供給弁及び前記飲料原液供給弁のいずれか一方又は両方を前記押圧方向に押圧する時に、前記ガイド部に当接する請求項６に記載の飲料注出バルブ。
【請求項８】
前記案内孔には、前記操作レバーの前記位置に応じて前記操作レバーが係合する係合溝が設けられる請求項５に記載の飲料注出バルブ。
【請求項９】
前記バルブ本体は、前記操作レバーを所定の付勢方向に付勢する付勢部を有し、
前記案内孔には、前記付勢方向に対して傾斜する傾斜部が形成され、前記操作レバーは前記付勢方向に付勢されるとともに前記傾斜部に沿って所定の位置に案内される請求項５に記載の飲料注出バルブ。
【請求項１０】
前記操作レバーは、第一の位置において前記希釈水供給弁のみを開放し、第二の位置において前記飲料原液供給弁のみを開放し、前記第一の位置と前記第二の位置との間の中立位置において前記希釈水供給弁及び前記飲料原液供給弁の両方を開放し、
前記操作レバーは、前記傾斜部に沿って前記中立位置に案内される請求項９に記載の飲料注出バルブ。
【請求項１１】
前記案内孔には、前記操作レバーの前記位置の移動の一部を規制する規制部が設けられる請求項５に記載の飲料注出バルブ。
【請求項１２】
前記バルブ本体には、前記操作レバーの前記位置を示す表示が表記される請求項１〜１１のいずれか一項に記載の飲料注出バルブ。
【請求項１３】
請求項１〜１２のいずれか一項に記載の飲料注出バルブを有するとともに、
前記操作レバーの前記位置に応じて発光する少なくとも１つの発光部を有する飲料ディスペンサ。
【発明の詳細な説明】
【技術分野】
【０００１】
この発明は、シロップ、リカー等の飲料原液と、水、炭酸水等の希釈水とを注ぎ出す飲料注出バルブ及びこの飲料注出バルブを有する飲料ディスペンサに関する。
【背景技術】
【０００２】
特許文献１に記載されるように、飲料を注ぎ出す飲料注出バルブには、上部に操作レバーが設けられるものと、下部に操作レバーが設けられるものとがある。一般的に、ビール等の酒類を注ぎ出す飲料注出バルブには上部にレバーが取り付けられ、ジュース等の混合飲料を注ぎ出す飲料注出バルブには下部にレバーが取り付けられる場合が多い。
【０００３】
また、飲料ディスペンサに設けられる飲料注出バルブのうち、ポストミックスバルブは、飲料原液と希釈水とを混合させることにより飲料を提供する。例えば、特許文献２に記載される飲料注出バルブでは、飲料注出バルブの下部に設けられたレバーが押し動かされることにより、液体原料ノズルからは飲料原液が、希釈水ノズルからは希釈水が、各々同時にコップに注ぎ出される。
【先行技術文献】
【特許文献】
【０００４】
【特許文献１】特開２０００−２０３６９３号公報
【特許文献２】特開２００６−０１６０４８号公報
【発明の概要】
【発明が解決しようとする課題】
【０００５】
ここで、特許文献１の飲料注出バルブを備えた飲料ディスペンサでは、上部にレバーを有する飲料注出バルブと、下部にレバーを有する飲料注出バルブとが存在し、デザインとして統一がとれないという問題があった。
【０００６】
また、これに加え、特許文献２の飲料注出バルブでは、使用者がレバーを操作する度に飲料原液及び希釈水が常に同時に注ぎ出され、使用者が飲料原液のみ、又は希釈水のみをコップに注ぎ出したい時に、レバーの操作のみでは対応することができないという問題があった。
【０００７】
この発明は、このような問題を解決するためになされ、デザイン性が良く、レバーの簡単な操作だけで、飲料原液のみ、希釈水のみ又はこれらの混合飲料を選択して注ぎ出すことができる飲料注出バルブ及びこの飲料注出バルブを有する飲料ディスペンサを提供することを目的とする。
【課題を解決するための手段】
【０００８】
上記の課題を解決するために、この発明に係る飲料注出バルブは、バルブ本体と、バルブ本体に接続され、バルブ本体に希釈水を供給する希釈水流路と、バルブ本体に接続され、バルブ本体に飲料原液を供給する飲料原液流路と、希釈水流路に設けられる希釈水供給弁と、飲料原液流路に設けられる飲料原液供給弁と、バルブ本体の上部に設けられる操作レバーとを備え、操作レバーは、バルブ本体に対して位置を移動可能であるとともに、その位置に応じて、希釈水供給弁及び飲料原液供給弁のいずれか一方又は両方を選択的に所定の押圧方向に押圧することにより開閉可能である。
【０００９】
また、この発明に係る飲料注出バルブの操作レバーは、バルブ本体にスライド可能に取り付けられるスライド取付部を有するとともに、スライド取付部を介してバルブ本体に対して位置を移動可能であり、スライド取付部が、操作レバーの位置に応じて、希釈水供給弁及び飲料原液供給弁のいずれか一方又は両方を選択的に押圧方向に押圧することにより、希釈水供給弁及び飲料原液供給弁のいずれか一方又は両方は開閉可能であってもよい。
【００１０】
また、バルブ本体とスライド取付部との間には弾性体が設けられてもよい。
また、操作レバーは、第一の位置において希釈水供給弁のみを開放し、第二の位置において飲料原液供給弁のみを開放し、第一の位置と第二の位置との間の中立位置において希釈水供給弁及び飲料原液供給弁の両方を開放し、弾性体は、操作レバーを中立位置に案内してもよい。
【００１１】
また、バルブ本体には、操作レバーの位置の移動を案内する案内孔が形成されてもよい。
【００１２】
さらに、バルブ本体には、案内孔が形成されるガイド部が着脱可能に設けられていてもよい。
また、操作レバーは、希釈水供給弁及び飲料原液供給弁のいずれか一方又は両方を押圧方向に押圧する時に、ガイド部に当接してもよい。
【００１３】
また、案内孔には、操作レバーの位置に応じて操作レバーが係合する係合溝が設けられていてもよい。
【００１４】
さらに、バルブ本体は、操作レバーを所定の付勢方向に付勢する付勢部を有し、案内孔には、付勢方向に対して傾斜する傾斜部が形成され、操作レバーは付勢方向に付勢されるとともに傾斜部に沿って所定の位置に案内されてもよい。
また、操作レバーは、第一の位置において希釈水供給弁のみを開放し、第二の位置において飲料原液供給弁のみを開放し、第一の位置と第二の位置との間の中立位置において希釈水供給弁及び飲料原液供給弁の両方を開放し、操作レバーは、傾斜部に沿って中立位置に案内されてもよい。
【００１５】
また、案内孔には、操作レバーの位置の移動の一部を規制する規制部が設けられてもよい。
【００１６】
さらに、バルブ本体には、操作レバーの位置を示す表示が表記されてもよい。
【００１７】
また、この発明に係る飲料注出バルブを有する飲料ディスペンサは、操作レバーの位置に応じて発光する少なくとも１つの発光部を有していてもよい。
【発明の効果】
【００１８】
この発明に係る飲料注出バルブ及びこの飲料注出バルブを有する飲料ディスペンサによれば、デザイン性が良く、レバーの簡単な操作だけで、飲料原液のみ、希釈水のみ又はこれらの混合飲料を選択して注ぎ出すことができる。
【図面の簡単な説明】
【００１９】
【図１】この発明の実施の形態１に係る飲料注出バルブの外観を示す斜視図である。
【図２】図１に示す飲料注出バルブ及びこの飲料注出バルブを有する飲料ディスペンサを示す正面図である。
【図３】図１に示す飲料注出バルブを示す上面図である。
【図４】図１に示す飲料注出バルブの内部構造を示す斜視図である。
【図５】図１に示す飲料注出バルブの内部構造を、図３の切断線Ｖ−Ｖで切断した状態を示す断面側面図である。
【図６】図６（ｉ）は、混合飲料が注ぎ出される時の操作レバーの位置を示す上面図であり、図６（ｉｉ）は、希釈水が注ぎ出される時の操作レバーの位置を示す上面図であり、図６（ｉｉｉ）は、飲料原液が注ぎ出される時の操作レバーの位置を示す上面図である。
【図７】図１に示す飲料注出バルブの操作レバーが図６（ｉ）の位置にある時の、飲料注出バルブの内部の状態を示す断面上面図である。
【図８】図１に示す飲料注出バルブの操作レバーが図６（ｉｉ）の位置にある時の、飲料注出バルブの内部の状態を示す断面上面図である。
【図９】図１に示す飲料注出バルブの操作レバーが図６（ｉｉｉ）の位置にある時の、飲料注出バルブの内部の状態を示す断面上面図である。
【図１０】この発明の実施の形態２に係る飲料注出バルブの内部の状態を示す断面上面図である。
【図１１】この発明の実施の形態３に係る飲料注出バルブの内部の状態を示す断面上面図である。
【発明を実施するための形態】
【００２０】
以下、この発明の実施の形態について添付図面に基づいて説明する。
実施の形態１．
図１及び２に示すように、飲料注出バルブ１００のバルブ本体１０は、カバー１１に被覆されている。バルブ本体１０の下部にはノズル１３が設けられる。さらに、バルブ本体１０の上部には、カバー１１に形成されるスライド孔１４が形成されている。また、バルブ本体１０の上部には操作レバー１２が取り付けられている。操作レバー１２の下部にはレバー支持部１２ａが取り付けられ、レバー支持部１２ａはスライド孔１４を通ってカバー１１の内側に延びて取り付けられている。
ここで、以下の説明において、飲料注出バルブ１００に対して、使用者が立って操作をする側を正面側Ｆとする。また、正面側Ｆの反対側を奥側Ｂとする。さらに、飲料注出バルブ１００の使用者から見て右手側を右側Ｒとし、左手側を左側Ｌとする。
【００２１】
また、図２に示すように、飲料注出バルブ１００は飲料ディスペンサ１に取り付けられている。飲料ディスペンサ１の正面側Ｆには、飲料注出バルブ１００の左側Ｌに隣り合って発光表示部１ａが設けられている。発光表示部１ａには、上から順次、「混合」、「原液のみ」および「希釈のみ」の表示が付されている。そして、これらの表記の左側Ｌには、各々、発光部としてのランプ１ｂが配置されている。
【００２２】
また、図３に示すように、バルブ本体１０には希釈水流管３及び飲料原液流管４が接続されている。希釈水流管３には希釈水流路３ａが形成され、飲料原液流管４には飲料原液流路４ａが形成される。すなわち、バルブ本体１０には、希釈水流路３ａ及び飲料原液流路４ａが接続される。そして、希釈水流路３ａには水、炭酸水等の希釈水が、飲料原液流路４ａにはシロップ、リカー等の飲料原液が、各々、圧力を掛けられた状態でバルブ本体１０に向かって流通する。
【００２３】
また、カバー１１に形成されるスライド孔１４は、３個の略楕円形状の開口１４ａ，１４ｂ，１４ｃが左右方向に連なった形状をしている。スライド孔１４の奥側Ｂには、これら３個の開口１４ａ，１４ｂ，１４ｃの各々に沿って、レバー支持部１２ａが係合可能な係合溝１７ａ，１７ｂ，１７ｃが形成されている。また、開口１４ａ，１４ｂ，１４ｃの各々の正面側Ｆのカバー１１には、左側Ｌから「原液」、「混合」及び「希釈」という表示１１ａが印字されている。なお、表示１１ａを表記する方法は、印字に限定されず、ラベルを貼り付けたり、刻印したり、マークを付したりしてもよい。また、操作レバー１２のレバー支持部１２ａがスライド孔１４に沿って配置される位置のうち、「希釈」に対応する位置を第一の位置Ａ１とし、「原液」に対応する位置を第二の位置Ａ２とする。また、「混合」に対応する位置は、第一の位置Ａ１と第二の位置Ａ２との間に設けられる中立位置Ａ３であるものとする。
【００２４】
さらに、図４に示すように、バルブ本体１０からカバー１１を取り外した場合、バルブ本体１０の上部にはガイド部２６が設けられている。ガイド部２６には、カバー１１のスライド孔１４に対応する位置に、スライド孔１４と同様の形状のガイド孔２６ａが形成されており、ガイド孔２６ａにもレバー支持部１２ａが貫通している。従って、ガイド孔２６ａにも、スライド孔１４の係合溝１７ａ，１７ｂ，１７ｃと同様に、レバー支持部１２ａが係合可能な係合溝２６ｂが形成されている。
ここで、カバー１１のスライド孔１４及びガイド部２６のガイド孔２６ａは、操作レバー１２の位置の移動を案内する案内孔を構成する。
なお、ガイド部２６は摩耗したり破損したりした時には交換することができるように、バルブ本体１０に着脱可能に取り付けられている。
【００２５】
また、図５及び６に示すように、レバー支持部１２ａの下部には略円筒形状のスライド取付部２８が設けられている。そして、スライド取付部２８は、バルブ本体１０に設けられるシャフト２７にスライド可能に取り付けられる。すなわち、操作レバー１２は、スライド取付部２８を介してバルブ本体１０に対して位置移動可能に取り付けられている。また、シャフト２７の両端は、レバーアーム２５に取り付けられ支持される。また、シャフト２７には、スライド取付部２８の両側に配置される一対の弾性体である位置調整バネ２７ａ，２７ｂが巻き付けられている（図７参照）。すなわち、位置調整バネ２７ａ，２７ｂは、操作レバー１２のスライド取付部２８とバルブ本体１０のレバーアーム２５との間に設けられている。ここで、操作レバー１２に何も力が加えられていない状態において、一対の位置調整バネ２７ａ，２７ｂはスライド取付部２８を両側から付勢し、中立位置Ａ３に案内する働きをする。
【００２６】
さらに、レバーアーム２５は、支点２５ａを介して、バルブ本体１０に回動可能に設けられている。また、レバーアーム２５の支点２５ａには戻りバネ２５ｂが取り付けられ、レバーアーム２５を奥側Ｂに付勢している。すなわち、操作レバー１２はレバーアーム２５を介して奥側Ｂに付勢される。
ここで、レバーアーム２５は付勢部を構成する。また、レバーアーム２５によって操作レバー１２が付勢される方向、すなわち奥側Ｂに向かう方向を付勢方向Ｄとする。
【００２７】
また、図５に示すように、希釈水流路３ａには、希釈水供給弁２３が設けられる。希釈水供給弁２３が閉状態の時において、希釈水流路３ａの希釈水の流れは希釈水供給弁２３のバルブ部２３ａによって閉鎖される。また、バルブ部２３ａの上部には開閉操作部２３ｂが設けられ、開閉操作部２３ｂは希釈水流管３の上方に突出して延長し、シャフト２７に近接して配置される。また、同様に、飲料原液流路４ａには、飲料原液供給弁２４が設けられる。飲料原液供給弁２４が閉状態の時において、飲料原液流路４ａの飲料原液の流れは飲料原液供給弁２４のバルブ部２４ａによって閉鎖される。また、飲料原液供給弁２４のバルブ部２４ａの上部には開閉操作部２４ｂが設けられ、開閉操作部２４ｂは飲料原液流管４の上方に突出して延長し、シャフト２７に近接して配置される。希釈水供給弁２３及び飲料原液供給弁２４の開閉操作部２３ｂ，２４ｂの各々には、押圧バネ２９ａ，２９ｂが当接し、開閉操作部２３ｂ，２４ｂを奥側Ｂに付勢している。
【００２８】
次に、飲料注出バルブ１００の動作について、主に図２及び６〜９を用いて説明する。
なお、以下の説明において、操作レバー１２が希釈水供給弁２３及び飲料原液供給弁２４のいずれか一方又は両方を押圧する方向を押圧方向Ｐとする。押圧方向Ｐは正面側Ｆへ向かう方向であるものとする。
【００２９】
まず、図６（ｉ）にように、操作レバー１２がスライド孔１４の中立部分Ａ３に位置する時、すなわち、開口１４ｂの係合溝１７ｂにレバー支持部１２ａが係合される時、使用者が操作レバー１２を押圧方向Ｐ、すなわち正面側Ｆに向かって引くと、ノズル１３から混合飲料が供給される。また、操作レバー１２がスライド孔１４の中立位置Ａ３に位置する時は、図２に示す発光表示部１ａの「混合」を示すランプ１ｂが点灯する。
【００３０】
次に、使用者は、図６（ｉｉ）に示すように、操作レバー１２を右側Ｒにスライドさせて第一の位置Ａ１に移動させ、レバー支持部１２ａを開口１４ｃの係合溝１７ｃに係合させる。この時、図２に示す発光表示部１ａでは、「希釈のみ」を示すランプ１ｂが点灯する。そして、その状態で使用者が操作レバー１２を押圧方向Ｐに向かって引くと、ノズル１３から希釈水のみが供給される。
【００３１】
さらに次に、使用者は、図６（ｉｉｉ）に示すように、操作レバー１２を左側Ｌにスライドさせて第二の位置Ａ２に移動させ、レバー支持部１２ａを開口１４ａの係合溝１７ａに係合させる。この時、図２に示す発光表示部１ａでは、「原液のみ」を示すランプ１ｂが点灯する。そして、その状態で使用者が操作レバー１２を押圧方向Ｐに向かって引くと、ノズル１３から飲料原液のみが供給される。
【００３２】
以下、図７〜９を用いて、飲料注出バルブ１００の動作についてさらに詳細に説明する。
まず、操作レバー１２が図６（ｉ）に示す中立位置Ａ３にある時、操作レバー１２を押圧方向Ｐに移動させると、図７に示すように、スライド取付部２８が希釈水供給弁２３の開閉操作部２３ｂ及び飲料原液供給弁２４の開閉操作部２４ｂを押圧する。そのため、希釈水流路３ａの希釈水供給弁２３及び飲料原液流路４ａの飲料原液供給弁２４の両方が同時に開放され、ノズル１３から混合飲料が注ぎ出される。
【００３３】
また、操作レバー１２が図６（ｉｉ）に示す第一の位置Ａ１にある時、操作レバー１２を押圧方向Ｐに移動させると、図８に示すように、スライド取付部２８が希釈水供給弁２３の開閉操作部２３ｂのみを押圧する。そのため、希釈水流路３ａの希釈水供給弁２３のみが開放され、ノズル１３から希釈水のみが注ぎ出される。
【００３４】
さらにまた、操作レバー１２が図６（ｉｉｉ）に示す第二の位置Ａ２にある時、操作レバー１２を押圧方向Ｐに移動させると、図９に示すように、スライド取付部２８が飲料原液供給弁２４の開閉操作部２４ｂのみを押圧する。そのため、飲料原液流路４ａの飲料原液供給弁２４のみが開放され、ノズル１３から飲料原液のみが注ぎ出される。
【００３５】
なお、Ａ１〜Ａ３のいずれの位置でも、使用者が操作レバー１２を押圧方向Ｐに移動させるように回動させると、操作レバー１２のレバー支持部１２ａがガイド部２６のガイド孔２６ａの正面側Ｆの端部に当接し、これにより操作レバー１２の回動が停止する。
【００３６】
以上より、この実施の形態１に係る飲料注出バルブ１００では、使用者は、バルブ本体１０の上部に設けられる操作レバー１２の位置をスライド孔１４及びガイド孔２６ａに沿って移動させる。そして、操作レバー１２の位置に応じて、使用者は希釈水供給弁２３及び飲料原液供給弁２４のいずれか一方又は両方を選択的に押圧方向Ｐに押圧し、開閉させることができる。従って、使用者は、飲料注出バルブ１００のバルブ本体１０の上部に設けられる操作レバー１２を片手で簡単に操作するだけで、飲料原液のみ、希釈水のみ又はこれらの混合飲料を選択して注ぎ出すことができる。
また、飲料注出バルブ１００の操作レバー１２がバルブ本体１０の上部に設けられることにより、上側にレバーを有するビールコック等とデザインを統一させることができ、デザイン性が向上する。
【００３７】
また、操作レバー１２は、バルブ本体１０のシャフト２７にスライド可能に取り付けられるスライド取付部２８を有するとともに、スライド取付部２８を介して移動可能である。これにより、使用者はよりスムーズに操作レバー１２の位置を切り替えることができる。また、希釈水供給弁２３及び飲料原液供給弁２４はスライド取付部２８によって押圧されるため、操作レバー１２の簡単な操作によって希釈水供給弁２３及び飲料原液供給弁２４をスムーズに開閉させることができる。
【００３８】
また、操作レバー１２のスライド取付部２８の両側には、バルブ本体１０のレバーアーム２５との間に設けられる一対の位置調整バネ２７ａ，２７ｂが配置されている。従って、使用者が操作レバー１２から手を離した時、操作レバー１２は一対の位置調整バネ２７ａ，２７ｂの弾性力によって中立位置Ａ３に案内される。これにより、次に別の使用者が飲料ディスペンサ１を使用する時に、混合飲料を注ぎ出そうとして誤って希釈水や飲料原液を注ぎ出してしまうという事態を防止することができる。
【００３９】
また、カバー１１にはスライド孔１４が、ガイド部２６にはガイド孔２６ａが、各々形成されているため、使用者は、スライド孔１４及びガイド孔２６ａに沿って操作レバー１２の位置を確実に移動させることができる。
【００４０】
また、操作レバー１２は押圧方向Ｐに回動する時に、ガイド部２６の正面側Ｆの端部に当接する。従って、ガイド部２６は、操作レバー１２の位置の移動を案内するだけでなく、スライド取付部２８が希釈水供給弁２３又は飲料原液供給弁２４を押しすぎるのを防止するストッパとしても機能する。
また、ガイド部２６はバルブ本体１０に着脱可能に取り付けられているため、摩耗したり破損したりした時は、交換することができる。
【００４１】
さらに、カバー１１のスライド孔１４には、操作レバー１２の位置に応じて操作レバー１２が係合する係合溝１７ａ，１７ｂ，１７ｃが設けられ、ガイド部２６のガイド孔２６ａにも、同様に係合溝２６ｂが設けられる。これにより、操作レバー１２の位置が切り替えられる時、操作レバー１２が位置に応じて係合溝１７ａ，１７ｂ，１７ｃ，２６ｂに嵌り込んで係合するため、使用者は感覚的に、操作レバー１２が何を注出する位置にあるのか、を判断することができる。
【００４２】
また、バルブ本体１０のカバー１１には、操作レバー１２の位置を示す「希釈」、「混合」及び「原液」の表示１１ａが表記されている。これにより、使用者は、操作レバー１２が何を注出する位置にあるのか、を視覚的に容易に判断することができる。
【００４３】
さらに、飲料注出バルブ１００が設けられる飲料ディスペンサ１の発光表示部１ａには、操作レバー１２の位置Ａ１〜Ａ３に応じて各々発光するランプ１ｂが設けられている。これにより、飲料ディスペンサ１が暗い場所に設置されている場合でも、使用者は、操作レバー１２が何を注出する位置にあるのか、を視覚的により明確に判断することができる。
【００４４】
なお、この実施の形態１において、案内孔は、カバー１１のスライド孔１４及びガイド部２６のガイド孔２６ａであるが、これに限定されず、ガイド部２６が設けられずに、スライド孔１４のみが案内孔を構成してもよい。
また、係合溝は、スライド孔１４又はガイド孔２６ａのいずれか一方のみに設けられていてもよい。
【００４５】
実施の形態２．
この発明の実施の形態２に係る飲料注出バルブ２００の構成を図１０に示す。なお、以下の説明において、図１の参照符号と同一の符号は同一又は同様の構成要素であるので、その詳細な説明は省略する。
図１０に示すように、飲料注出バルブ２００は、飲料注出バルブ１００のガイド部２６の代わりに第二ガイド部４１が設けられたバルブ本体２０を有する。第二ガイド部４１には、ガイド孔４２が形成される。ガイド孔４２の正面側Ｆには、操作レバー１２の各位置Ａ１〜Ａ３に応じて３個の凹部４２ａ，４２ｂ，４２ｃが形成されている。また、ガイド孔４２の奥側Ｂには、左右から中央に向かって奥側Ｂに突出するような形に形成される傾斜部４２ｄが形成される。傾斜部４２ｄの左右の傾斜は、各々、操作レバー１２がレバーアーム２５によって付勢される付勢方向Ｄに対して所定の角度を持って傾斜している。
【００４６】
ここで、使用者が飲料ディスペンサ１を使い終わって操作レバー１２から手を離した時、操作レバー１２はレバーアーム２５の戻りバネ２５ｂの弾性力によって奥側Ｂ、すなわち付勢方向Ｄに移動する。そして、操作レバー１２のレバー支持部１２ａはガイド孔４２の奥側Ｂの端部に当接するとともに傾斜部４２ｄに沿ってガイド孔４２の中央の位置、すなわち中立位置Ａ３に向かって移動する。すなわち、操作レバー１２は、奥側Ｂに移動する時に、傾斜部４２ｄに沿って中立位置Ａ３に案内される。
【００４７】
以上より、この実施の形態２に係る飲料注出バルブ２００の第二ガイド部４１のガイド孔４２には、付勢方向Ｄに対して傾斜する傾斜部４２ｄが形成され、操作レバー１２は付勢方向Ｄに付勢されるとともに傾斜部４２ｄによって所定の中立位置Ａ３に案内される。従って、使用者が飲料ディスペンサ１を使い終わった後は、操作レバー１２は常に中立位置Ａ３に配置されるため、再び飲料ディスペンサ１を使用する時に、別の使用者が誤って意図しない飲料を注ぎ出してしまうという可能性が低くなる。
【００４８】
実施の形態３．
この発明の実施の形態３に係る飲料注出バルブ３００の構成を図１１に示す。
飲料注出バルブ３００は、飲料注出バルブ１００，２００のガイド部２６及び第二ガイド部４１の代わりに第三ガイド部６１が設けられたバルブ本体３０を有する。第三ガイド部６１には、ガイド孔６２が形成される。ガイド孔６２の正面側Ｆには、第一の位置Ａ１及び中立位置Ａ３に対応して、各々、凹部６２ａ，６２ｂが形成されている。さらに、凹部６２ｂの左側Ｌには規制部６２ｃが設けられており、第二の位置Ａ２に対応する部分にはガイド孔６２が設けられておらず、塞がれている。
【００４９】
以上より、この実施の形態３に係る飲料注出バルブ３００の第三ガイド部６１のガイド孔６２には、操作レバー１２の位置の移動の一部を規制する規制部６２ｃが設けられる。これにより、特定の飲料、例えば飲料原液のみの飲料を注ぎ出したくない時は、使用者がその飲料を注ぎ出してしまうことを防止することができる。
【００５０】
なお、実施の形態１〜３では、操作レバー１２を右側Ｒに移動させた場合に希釈水が注ぎ出され、左側Ｌに移動させた場合に飲料原液が注ぎ出されるが、これに限定されず、右側Ｒと左側Ｌとで注ぎ出される飲料が逆であってもよい。
【００５１】
また、飲料ディスペンサ１に設けられる発光部は、操作レバーの位置Ａ１〜Ａ３の各々に応じた３個のランプ１ｂに限定されず、操作レバーの位置Ａ１〜Ａ３のいずれかに応じて発光するランプが１個だけ設けられていてもよい。
【符号の説明】
【００５２】
１  飲料ディスペンサ、１ｂ  ランプ（発光部）、３ａ  希釈水流路、４ａ  飲料原液流路、１０，２０，３０  バルブ本体、１１ａ  表示、１２  操作レバー、１４  スライド孔（案内孔）、１７ａ，１７ｂ，１７ｃ，２６ｂ  係合溝、２３  希釈水供給弁、２４  飲料原液供給弁、２５  レバーアーム（付勢部）、２６  ガイド部、２６ａ，４２，６２  ガイド孔（案内孔）、２７ａ，２７ｂ  位置調整バネ（弾性体）、２８  スライド取付部、４１  第二ガイド部、４２ｄ  傾斜部、６１  第三ガイド部、６２ｃ  規制部、１００，２００，３００  飲料注出バルブ、Ａ１  第一の位置、Ａ２  第二の位置、Ａ３  中立位置、Ｄ  付勢方向、Ｐ  押圧方向。
【図１】
2018020804.tif 000003
【図２】
2018020804.tif 000004
【図３】
2018020804.tif 000005
【図４】
2018020804.tif 000006
【図５】
2018020804.tif 000007
【図６】
2018020804.tif 000008
【図７】
2018020804.tif 000009
【図８】
2018020804.tif 000010
【図９】
2018020804.tif 000011
【図１０】
2018020804.tif 000012
【図１１】
2018020804.tif 000013